(57)【要約】  下位パスを収容している上位パスが存在するネットワークで用いられるシグナリングメッセージに、パス制御を行うための情報を加える。その情報を用いて、通信装置は、上位パスに状態変化が生じた際に、上位パスで状態変化が生じた制御項目と同一の制御項目の制御を行う必要がある制御対象の下位パスを抽出する。制御対象のパスは、前記上位パスに収容されている下位パスから選択される。抽出したパスに制御を行うことにより、レイヤ間で収容関係を有する場合の複数のパスの制御を簡便に行うことができる。
2009060501.tif 000002
【特許請求の範囲】
【請求項１】
下位パスを収容している上位パスが存在するネットワークを構成する通信装置であって、
前記上位パスもしくは前記上位パスを設定するシグナリングメッセージの状態変化に伴って、制御の可否を示す可否情報を確認することにより、前記上位パスに収容され、かつ、可を示す可否情報を含むシグナリングメッセージにより設定される下位パスを、前記上位パスもしくは前記上位パスのシグナリングメッセージが状態変化する際の制御対象となる制御対象下位パスとして特定するパス制御部と、
前記パス制御部によって特定された前記制御対象下位パスで用いられるシグナリングメッセージに対し、前記状態変化に対応する制御項目についてパス制御情報の設定を行うシグナリング制御部と、
前記制御項目の制御を行う制御項目制御部と
を備えることを特徴とする、通信装置。
【請求項２】
下位パスを収容している上位パスが存在するネットワークを構成する通信装置であって、
前記下位パスを設定するシグナリングメッセージ中に存在する、前記上位パスもしくは前記上位パスを設定するシグナリングメッセージの状態変化に伴って制御を行うことの可否を示す可否情報を確認することにより、前記上位パスに収容されていて、かつ、可を示す可否情報を含むシグナリングメッセージにより設定される下位パスを、前記上位パスもしくは前記上位パスのシグナリングメッセージが状態変化する際の制御対象となる制御対象下位パスとして特定するパス制御部と、
前記制御対象下位パスの終点側の装置に送信した第一のシグナリングメッセージに含まれるパス制御情報と、前記終点側の装置から受信した第二のシグナリングメッセージに含まれるパス制御情報とが、異なっていた場合に、前記第一のシグナリングメッセージおよび／または前記第二のシグナリングメッセージに、前記制御対象下位パスを構成する任意の装置においてシグナリングメッセージ改変を許可するシグナリングメッセージ改変許可設定がなされているかを確認するシグナリングメッセージ改変許可確認部と、
前記シグナリングメッセージ改変許可確認部により、前記シグナリングメッセージ改変許可設定が確認されたときに、前記第二のシグナリングメッセージに記録されている制御情報を付した第三のシグナリングメッセージを送信するシグナリング制御部と
を備えることを特徴とする、通信装置。
【請求項３】
前記上位パスに前記状態変化が生じることをトリガとして、前記シグナリング制御部が、前記制御対象下位パスで用いられるシグナリングメッセージに対して、前記パス制御情報の設定を行う
ことを特徴とする、請求項１記載の通信装置。
【請求項４】
前記上位パスの前記状態変化が、
前記上位パスを構成している装置が受けた制御要求に起因して行われた前記上位パスに対する制御による状態変化、もしくは、前記ネットワークで生じた障害に基づいて生じた状態変化であることを特徴とする、
請求項１記載の通信装置。
【請求項５】
前記状態変化が検出された場合に、
前記シグナリング制御部が、前記制御対象下位パスで用いられるシグナリングメッセージに対し、前記上位パスに対して制御が行われた制御項目の制御可否情報を、制御可能に設定することにより前記シグナリングメッセージを変更する
ことを特徴とする、請求項１記載の通信装置。
【請求項６】
前記下位パスの各々について、前記上位パスと前記下位パスの収容関係、および、前記上位パスの前記状態変化の際に制御を行うべき下位パスであるかの情報を記録しているデータベースを参照することによって、前記パス制御部が前記制御対象下位パスを特定する
ことを特徴とする、請求項１記載の通信装置。
【請求項７】
下位パスを収容している上位パスが存在するネットワークを構成する通信装置であって、
前記下位パスを設定するシグナリングメッセージ中に存在する、一つの下位パスに対する制御要求を受信した前記通信装置が前記一つの下位パスの制御に伴って制御を行うことの可否を示す可否情報を確認することにより、前記上位パスに収容されていて、かつ、可を示す可否情報を含むシグナリングメッセージにより設定される下位パスを、前記一つの下位パスと同一の種類の制御を行う対象である制御対象下位パスとして特定するパス制御部と、
前記パス制御部によって特定された前記制御対象下位パスで用いられるシグナリングメッセージに対し、前記制御対象下位パスに対して行われる制御項目について、パス制御情報の設定を行うシグナリング制御部と、
前記制御項目の制御を行う制御項目制御部と
を備えることを特徴とする、通信装置。
【請求項８】
前記シグナリング制御部が、前記制御対象下位パスの始点装置に、シグナリングメッセージの変更を行うための通知メッセージを送信し、
前記通知メッセージに従って前記始点装置により更新されたシグナリングメッセージを受信すると、前記制御項目制御部が、前記制御対象下位パスの制御を行う
ことを特徴とする、請求項１記載の通信装置。
【請求項９】
前記制御項目制御部は、パス警報の制御を行う警報抑止制御部を有し、
前記制御項目が、パス警報抑止であるときに、前記警報抑止制御部がパス警報抑止を行う
ことを特徴とする、請求項１記載の通信装置。
【請求項１０】
前記制御項目制御部は、パス警報重要度の制御を行う警報重要度制御部を有し、
前記制御項目が、警報重要度変更であるときに、前記警報重要度制御部が、警報種別および／または警報重要度の変更を行う
ことを特徴とする、請求項７記載の通信装置。
【請求項１１】
前記制御項目制御部は、パス性能の制御を行う性能制御部を有し、
前記制御項目が、性能監視リセットであるときに、前記性能制御部が、性能監視情報のリセットを行う
ことを特徴とする、請求項１記載の通信装置。
【請求項１２】
前記制御項目が、パスプライオリティ変更であるときに、前記パス制御部がパスのプライオリティおよびプライオリティレベルを変更する
ことを特徴とする、請求項７記載の通信装置。
【請求項１３】
下位パスを収容している上位パスが存在するネットワークにおいて、
前記上位パスを構成する通信装置が、前記下位パスを設定するシグナリングメッセージ中に存在する、前記上位パスもしくは前記上位パスを設定するシグナリングメッセージの状態変化に伴って制御を行うことの可否を示す可否情報を確認することにより、前記上位パスに収容されていて、かつ、可を示す可否情報を含むシグナリングメッセージにより設定される下位パスを、前記上位パスもしくは前記上位パスのシグナリングメッセージが状態変化する際の制御対象となる制御対象下位パスとして特定し、
特定された前記制御対象下位パスで用いられるシグナリングメッセージに対し、前記状態変化に対応する制御項目についてパス制御情報を設定し、
前記制御項目の制御を行う
ことを特徴とする、パス制御方法。
【請求項１４】
前記上位パスに状態変化が生じることをトリガとして、前記制御対象下位パスの特定を行い、
前記上位パスの状態変化が生じた制御項目を認識し、
認識された前記制御項目の制御を行い、
特定された前記制御対象下位パスで用いられるシグナリングメッセージに対し、認識された前記制御項目の制御を行うためのパス制御情報の設定を行う
ことを特徴とする、請求項１３に記載のパス制御方法。
【請求項１５】
前記上位パスの前記状態変化を検出した装置において、前記パス制御情報の設定を行う
ことを特徴とする、請求項１４に記載のパス制御方法。
【請求項１６】
下位パスを収容している上位パスが存在するネットワークにおいて、
前記上位パスを構成する通信装置が、前記下位パスを設定するシグナリングメッセージ中に存在する、一つの下位パスに対する制御要求を受信した前記通信装置が前記一つの下位パスの制御に伴って制御を行うことの可否を示す可否情報を確認することにより、前記上位パスに収容されていて、かつ、可を示す可否情報を含むシグナリングメッセージにより設定される下位パスを、前記一つの下位パスと同一の種類の制御を行う対象である制御対象下位パスとして特定し、
特定された前記制御対象下位パスで用いられるシグナリングメッセージに対し、前記制御対象下位パスに対して行われる制御項目について、パス制御情報の設定を行い、
前記制御対象下位パスに対して前記制御項目の制御を行う
ことを特徴とする、パス制御方法。
【請求項１７】
下位パスを収容している上位パスが存在するネットワークにおいて、
前記上位パスを構成する通信装置が、前記下位パスを設定するシグナリングメッセージ中に存在する、前記上位パスもしくは前記上位パスを設定するシグナリングメッセージの状態変化に伴って制御を行うことの可否を示す可否情報を確認することにより、前記上位パスに収容されていて、かつ、可を示す可否情報を含むシグナリングメッセージにより設定される下位パスを、前記上位パスもしくは前記上位パスのシグナリングメッセージが状態変化する際の制御対象となる制御対象下位パスとして特定し、
特定された前記制御対象下位パスで用いられるシグナリングメッセージに対し、前記状態変化に対応する制御項目についてパス制御情報を設定し、
前記制御対象下位パスの終点側の装置に送信した第一のシグナリングメッセージに含まれるパス制御情報と、前記終点側の装置から受信した第二のシグナリングメッセージに含まれるパス制御情報とを比較し、
前記第一のシグナリングメッセージと前記第二のシグナリングメッセージとで、各々の前記パス制御情報が異なっていて、さらに、前記第一のシグナリングメッセージおよび／または前記第二のシグナリングメッセージに、前記制御対象下位パスを構成する任意の装置においてシグナリングメッセージ改変を許可する設定がなされている場合に、シグナリング制御部が、前記第二のシグナリングメッセージに記録されている制御情報を付した第三のシグナリングメッセージを前記制御対象下位パスの終点側に向けて送信する
ことを特徴とする、パス制御方法。
【請求項１８】
前記シグナリング制御部が、前記制御対象下位パスの始点装置に、前記制御対象下位パスの制御を行うためのパス制御情報に関する通知メッセージを送信し、
前記通知メッセージを受信した前記制御対象下位パスの始点装置の前記シグナリング制御部が、前記制御対象下位パスで用いられるシグナリングメッセージに、前記制御対象下位パスの制御を行うためのパス制御情報の設定を行う
ことを特徴とする、請求項１３記載のパス制御方法。
【発明の詳細な説明】
【技術分野】
【０００１】
本発明は、シグナリングプロトコルを使用したパスの制御方法に関し、特に、レイヤ間で収容関係を有する場合のパス制御に関連する。
【背景技術】
【０００２】
従来、レイヤ毎にネットワーク管理システム（ＮＭＳ）からオペレータの手動によって各装置のスイッチの切り替えを行い、エンドーエンドのパス設定を行うと共に、パス毎に警報マスク制御等を行っていた。【０００３】
しかし、近年では、ネットワーク管理システムからの設定、各装置での経路計算、シグナリングによるパス設定により、パス設定に要する時間の短縮が可能となってきている。例えば、ＭＰＬＳ（Multi-Protocol Label Switching）やＧＭＰＬＳ（Generalized Multi-Protocol Label Switching）等のシグナリングプロトコル（ＲＳＶＰ（Resource Reservation Protocol）、ＲＳＶＰ−ＴＥ（Resource Reservation Protocol - Traffic Engineering）等）やルーチングプロトコル（ＯＳＰＦ（Open Shortest Path First）、ＯＳＰＦ−ＴＥ（Open Shortest Path First for Traffic Engineering）等）を使用して、装置内での経路計算が行われている。この経路計算に基づいて、パスの経路に含まれる装置同士が、シグナリングメッセージを交換する事により、パス設定を行うための方式の検討や実装が進められている。【０００４】
一方、パス設定を行った後のパスの制御については、未だに、レイヤ毎にオペレータが手動で切り替えを行うしかないのが現状である。パスの制御が必要になるのは、主に、光ファイバの敷設、パッケージの差し替えなどの、装置の支障移転や試験を行う場合である。パスの警報マスクなどの制御を行うには、まず、ネットワーク管理システムでレイヤ間の収容関係を検索し、その後、検索したパスごとに制御を行う必要がある。しかし、上位のパスに収容されている下位パスの数が多いために、パスの制御を行うのに時間がかかること、設定の間違いにより望ましくない警報が発生することが多いことが問題となっている。例えば、ＯＣ１９２のパスにはＳＴＳ−１のパスが１９２本収容できるので、１本のＯＣ１９２のパスについて制御を行う場合に、１９２回も下位パスについての制御を行わなければならない場合がある。さらに、波長分割多重方式（ＷＤＭ）を用いて１本の光ファイバに１００波長を多重化している場合には、２万本近くのパスを制御する必要があることもある。【０００５】
数多くのパスに対してのパス制御を行うのが煩雑ではあるが、支障移転や試験を行うことを見越して、予め、上位パスと下位パスの全てにおいて、警報マスクなどの制御を行ってしまっては、障害が発生しても障害の通知がされないことになってしまう。【０００６】
図１は、上位パスと下位パスの全てに予め警報マスクを行った後に障害が発生したときの状況を表す例である。図１中の二台の同期デジタルハイアラーキ（ＳＤＨ）クロスコネクト装置１０１ａと１０１ｂとの間に、電気パス１が設定され、クロスコネクト装置１０２ａと１０２ｃの間で光パス２が設定されている。また、電気パス１は光パス２に収容されている。
（１）オペレータ３が、ＷＤＭクロスコネクト装置１０２ａに対して光パス２の警報抑止実行を行う（図１の３ａ）。すると、光パス２中を、警報抑止ビット３１を警報抑止に設定した（Ａ＝１）シグナリングメッセージ４０が流れる。このシグナリングメッセージ４０によって、ＷＤＭクロスコネクト装置１０２（１０２ａ、１０２ｂ、１０２ｃ）のそれぞれで光パス２に対しての警報が抑止される。
（２）オペレータ３がＳＤＨクロスコネクト装置１０１ａに対して電気パス１の警報抑止実行を行う（図１の３ｂ）と、電気パス１中を、光パス２と同様に、警報抑止ビット３１を警報抑止に設定した（Ａ＝１）シグナリングメッセージ３０が流れる。電気パス１を流れたシグナリングメッセージ３０によって、ＳＤＨクロスコネクト装置１０１（１０１ａ、１０１ｂ）でも、電気パス１の警報が抑止される。オペレータ３は、光パス２に収容されている１９２本の電気パス１について、個々に警報抑止制御を行う。
（３）全てのＷＤＭクロスコネクト装置１０２とＳＤＨクロスコネクト装置１０１とに警報抑止の設定が行われると（Ａ＝１）、装置１０２ｃと装置１０１ｂとの間において障害が発生しても、いずれの装置からも警報が発出せず、障害が発見されなくなってしまう。【０００７】
不要な警報を除去する方法の関連技術としては、特許文献１に、光ファイバにおいて、光入力断の障害が発生したときに、波長多重数を変更して不要な警報を除去する方法が示されている。
【特許文献１】特開平１１−２５２０４９号公報
【発明の開示】
【０００８】
本発明の課題は、複数のレイヤにおいてパスが存在していて、異なるレイヤのパス間に収容関係がある場合の、パス制御を簡便にすることである。
本発明にかかるレイヤ間で収容関係を有するパスの制御に用いる装置は、下位パスを収容している上位パスが存在するネットワークを構成する通信装置であって、前記上位パスもしくは前記上位パスを設定するシグナリングメッセージの状態変化に伴って、制御の可否を示す可否情報を確認することにより、前記上位パスに収容され、かつ、可を示す前記可否情報を含むシグナリングメッセージにより設定される下位パスを、前記上位パスもしくは前記上位パスのシグナリングメッセージが状態変化する際の制御対象となる制御対象下位パスとして特定するパス制御部と、前記パス制御部によって特定された前記制御対象下位パスで用いられるシグナリングメッセージに対し、前記状態変化に対応する制御項目について、パス制御情報の設定を行うシグナリング制御部と、前記制御項目の制御を行う制御項目制御部とを備える。
【０００９】
上記通信装置において、パス制御部は、上位パスや上位パスのシグナリングメッセージに状態変化が生じた際に、その上位パスに収容されていて、上位パスにおいて状態変化が生じた制御項目と同種の制御項目の制御を行う対象となる下位パスを特定する。制御を行う対象となる下位パスを特定するために、パス制御部は、上位パスの状態変化などに伴う制御の可否を示す可否情報を確認し、「可」の設定になっている下位パスを制御対象として特定する。特定された下位パスに対するシグナリングメッセージを、シグナリング制御部が変更することにより、上位パスに状態変化が生じた際に、上記通信装置により自律的に、特定された複数の下位パスの制御が行われる。
【００１０】
上記のレイヤ間でのパス収容関係を利用したパス制御方式によって、収容関係がある複数レイヤにおいて、複数のパスを制御するときのオペレーション工数の削減、および、オペレーションミスの低減が可能になる。
【図面の簡単な説明】
【００１１】
【図１】上位パスと下位パスの全てに予め警報マスクを行った後に障害が発生したときの状況を表す図である。
【図２】レイヤ間でのパス収容関係を利用したパス制御の概要を、警報マスクを行う場合を例として示した図である。
【図３】ＲＳＶＰ−ＴＥを用いた場合のシグナリングメッセージの構成例である。
【図４】レイヤ間パス制御情報の構成例である。
【図５】本発明の実施形態において用いられる装置の構成を表した図である。
【図６】パスデータベースの一例を表した図である。
【図７】ＮＭＳからの制御要求が、光パスを構成しているクロスコネクト装置に対してなされた場合の、レイヤ間でのパス収容関係を利用した制御の一形態を説明するフローチャートである。
【図８】警報マスク処理を行う場合のシグナリングメッセージの設定を行う装置の動作を表したフローチャートである。
【図９】警報マスク処理を行う場合に、警報マスク情報が設定されたシグナリングメッセージを受信した装置の動作を表したフローチャートである。
【図１０】性能監視リセット制御を行う場合の実施形態を示す図である。
【図１１】性能監視リセット制御処理を行う場合にシグナリングメッセージの設定を行う装置の動作を示す図である。
【図１２】性能監視リセット情報が設定されたシグナリングメッセージを受信した装置の動作を示す図である。
【図１３】警報をトリガとしたレイヤ間でのパス収容関係を利用した制御についての実施形態の一例である。
【図１４】クロスコネクト装置が、他の装置からの警報を受け取ったことをトリガとして行う処理のフローチャートである。
【図１５】通知メッセージを用いたレイヤ間でのパス収容関係を利用した制御についての実施形態の一例である。
【図１６】通知メッセージを用いた制御の概略を表したフローチャートである。
【図１７】光パスの制御を行う場合、および、光パスの制御を行わない場合の電気パスの制御の流れを説明するフローチャートである。
【図１８】警報重要度制御処理を行う場合のシグナリングメッセージの設定を行う装置の動作である。
【図１９】警報重要度設定をしたシグナリングメッセージの一例である。
【図２０】警報重要度情報が設定されたシグナリングメッセージを受信した装置の動作を表す図である。
【図２１】パス警報データベースの一例を表した図である。
【図２２】パスプライオリティの設定を行う場合のシグナリングメッセージの構成例を表した図である。
【発明を実施するための最良の形態】
【００１２】
以下、本発明の実施形態について、図面を参照しながら詳細に説明する。
＜パス制御の概要＞
本発明のある実施形態では、下位パスが収容されている上位パスを構成しているクロスコネクト装置が上位パスの状態変化を検出することをトリガとして、下位パスの制御を自律的に行う。ここで、クロスコネクト装置が検出する上位パスの状態変化としては、
（ａ）クロスコネクト装置がＮＭＳなどからの制御要求を受けたことによって行われる上位パスの制御による状態変化
（ｂ）伝送経路などのネットワーク内の異常に基づいて生じた上位パスの状態変化
などが、考えられるが、それらに限定されるわけではない。【００１３】
また、下位パスを収容している上位パスのシグナリングメッセージの状態が変化したことをトリガとして、下位パスの制御を自律的に行う構成としても良い。かかる場合は、クロスコネクト装置がＮＭＳから制御要求を受けたことなどによって、上位パスのシグナリングメッセージが変更されたことを契機として、クロスコネクト装置が下位パスの制御を行う。【００１４】
つまり、従来は別個に制御を行う必要があった上位パスと下位パスを、上位パスを構成している装置が変化を検出することによって、その装置が自律的に制御を行うべき下位パス（制御対象下位パス）を抽出し、抽出した下位パスの制御を行う。言い換えると、上位パスもしくは上位パスを設定するシグナリングメッセージに変化を与えることで、変化を感知した装置が自律的に異なるレイヤのパスの制御を行う。下位パスに対して行われる制御項目は、上位パスもしくは上位パスを設定するためのシグナリングメッセージの状態変化によって決定される。例えば、上位パスに対しての制御要求に起因して状態変化が生じた制御項目が下位パスの制御項目となる。上位パスに障害が起こったことによる状態変化がトリガとなる場合では、状態変化によって警報が生じる。そこで、警報の発出状況に関する状態が変化したことになるので、警報抑止や、警報の重要度などの警報の発出状況を変更する制御を、装置が自律的に下位パスに行う。【００１５】
以下、具体例として、下位パスが電気パス１、上位パスが光パス２である場合の例について述べる。
図２は、レイヤ間でのパス収容関係を利用した制御の概要を、ＮＭＳからの制御要求に従って警報マスクを行う場合を例として示した図である。クロスコネクト装置１０１ａと１０１ｂとの間に、電気パス１が設定されていて、クロスコネクト装置１０２ａ、１０２ｂ、および、１０２ｃの間で光パス２が設定されている。また、電気パス１は光パス２に収容されている。パスの制御は以下のように行われる。なお、以下の説明で、パスの始点側は図面の左側とする。また、「パスの始点に存在するクロスコネクト装置」を「始点装置」と、「パスの終点側に存在するクロスコネクト装置」を「終点側の装置」と記載することがある。【００１６】
（１）光パス２の制御を行う際に同じ種類の制御を行う対象である電気パス１に対して、制御連携フラグ３２の設定を行う。この設定は、
（ａ）制御連携フラグ３２を立てた（Ｘ＝１）シグナリングメッセージを、パスの始点にあるクロスコネクト装置が終点側の装置に送信し、
（ｂ）その後、始点側の装置が、終点側の装置にシグナリングメッセージを転送する
ことによって行われる。電気パス１を構成する各々の装置が、制御連携フラグ３２を「Ｘ＝１」に設定したシグナリングメッセージを受け取った電気パス１は、光パス２の制御の際に電気パス１の制御を行うことが可能であると認識する。なお、制御連携フラグ３２の設定のためのシグナリングメッセージの送信は、パスの生成時に行っても良いし、上位パスへの制御を行う前に行っても良い。シグナリングメッセージの具体的な構造については後述する。【００１７】
（２）オペレータ３がＮＭＳを通じて、光パス２の始点装置１０２ａに対して光パス警報の抑止の設定を行う（図２中の３ａ）。この設定により、始点装置１０２ａが、警報抑止ビット３１を警報抑止（Ａ＝１）に設定した光パス用のシグナリングメッセージ４０を、終点側の装置１０２ｂに送信する。また、始点装置１０２ａは、ＮＭＳから操作された光パス２について、警報抑止を設定する。光パス２については、光パスのシグナリングメッセージ４０によって、光パス２を構成している各装置に対して、光パス２の警報抑止が設定される。すなわち、１０２ａ、１０２ｂ、１０２ｃにおいて、警報抑止ビット３１がＡ＝１に設定される。【００１８】
（３）光パス２の始点装置である１０２ａは、制御が行われた光パス２に収容されている電気パス１であって、しかも、制御連携フラグ３２の設定が行われている電気パス１を抽出する。抽出した電気パス１に対して、１０２ａ自身の警報抑止の設定を行う（図２中の４ａ）。さらに、抽出した電気パス１に対して、警報抑止の設定を行うためのシグナリングメッセージ３０を送信する。光パス２の制御の際に同じ種類の制御を行う電気パス１のシグナリングメッセージ３０は、（１）の操作によって、制御連携フラグ３２がＸ＝１に設定されている。そこで、既存のシグナリングメッセージ３０の警報抑止ビット３１を警報抑止（Ａ＝１）に設定し、電気パス１の終点側に送信する。【００１９】
（４）光パス２中では、電気パス用のシグナリングメッセージ３０は、装置の設定に用いられず、光パス２の始点装置１０２ａから、光パス２の終点装置である１０２ｃへと、シグナリングメッセージ３０が通過する。光パス２の終点装置１０２ｃでは、シグナリングメッセージ３０を受信すると、その電気パス１を警報抑止に設定し、１０１ｂへと、シグナリングメッセージ３０を送信する。【００２０】
（５）電気パス１の終点装置である１０１ｂが、シグナリングメッセージ３０を受け取ると、クロスコネクト装置１０１ｂは、シグナリングメッセージ３０を受け取った電気パス１に対して、１０１ｂ自身の警報抑止の設定を行う。また、シグナリングメッセージ３０を、電気パス１の始点側に送信する。【００２１】
（６）光パス２中を、電気パス１の終点側から受信したシグナリングメッセージ３０が通過し、電気パス１の始点側に転送される。光パス２の始点装置である１０２ａが、シグナリングメッセージ３０を受信すると、電気パス１の始点装置１０１ａにシグナリングメッセージ３０を送信する。【００２２】
（７）電気パス１の始点装置である１０１ａは、１０１ａ自身が送信したことがあるシグナリングメッセージ３０ａとは異なって、警報抑止ビット３１が警報抑止に設定されているシグナリングメッセージ３０を、電気パス１の終点側から受信する。そこで、シグナリングメッセージの変化が、シグナリングの失敗による変化であるのか、光パス２の制御に際して行われた変化であるのかを認識する。シグナリングメッセージの制御連携フラグ３２が、Ｘ＝１であれば、光パス２の制御に際して行われた変化であると認識する。また、パスデータベースの記録内容によって、パス管理部２６が、光パス２の障害による変化かを判断する構成にしても良い。【００２３】
（８）光パス２の制御に際してシグナリングメッセージが変更された場合には、電気パス１の始点から光パス２の始点までの間に装置が存在すると、その装置においては、電気パス１の警報抑止設定がなされていないことになる。そこで、電気パス１の始点装置１０１ａは、シグナリングメッセージの警報抑止ビット３１を警報抑止に設定し（図２の５ａ）、終点側の装置に向けて送信する。また、電気パス１の始点装置１０１ａは、電気パス１の警報抑止を設定する（Ａ＝１）。【００２４】
なお、ここでは、理解を助けるために電気パスは１本しか示していないが、通常は前述のとおり、１本の光パスには数多くの電気パスが収容される。さらに、収容された全ての電気パスに対して、制御を行うとは限らない。【００２５】
＜シグナリングメッセージの構成＞
図３にＲＳＶＰ−ＴＥを用いた場合のシグナリングメッセージ３０の構成例を示す。通常のＲＳＶＰ−ＴＥのシグナリングメッセージとほとんど同じであるが、光パス２の制御の際に電気パス１に対しても制御を行うことができるように、レイヤ間パス制御情報３０１が含まれている。レイヤ間パス制御情報３０１にはさらに、図４に示すように、レイヤ間連携制御可否情報３０２、制御項目情報３０３、制御可否情報３０４などを有する。本明細書中では、レイヤ間パス制御情報３０１を表す語として、「パス制御情報」もしくは「下位パス制御情報」が用いられることがある。【００２６】
レイヤ間連携制御可否情報３０２は、下位パスを収容している上位パスが存在するときに、上位パス、もしくは、上位パスを設定するシグナリングメッセージに生じた状態変化に伴って、収容されている下位パスを制御することの可否を示す可否情報である。例えば、光パス２と電気パス１のように、従来、別個に制御する必要があったパスの構成単位が複数あったときに、光パス２との収容関係を利用して電気パス１の制御を行うかを表す情報である。つまり、光パス２に対して制御を行ったときに制御を行う電気パス１や、光パス２に障害が検出されたときに制御を行う電気パス１などのシグナリングメッセージには、レイヤ間連携制御可否情報３０２を設定する。また、後述するように、光パス２自体には制御を行わなくても、複数の電気パス１に対して、光パス２の収容関係を利用して同時に制御を行う場合にも、レイヤ間連携制御可否情報３０２を利用する。【００２７】
言い換えると、レイヤ間連携制御可否情報３０２は、上位パスに収容されている一つの下位パスの制御を行う際に、その上位パスに収容されている他の下位パスについて、制御対象の下位パスと同種の制御項目の制御を行うことに対する可否設定であるとも考えられる。【００２８】
先に述べたように、制御連携フラグ３２の設定によっては、電気パス１の始点装置が送信したシグナリングメッセージ３０ａと、その始点装置が電気パス１の終点側から受信したシグナリングメッセージ３０とで、制御情報が異なっていてもシグナリングの失敗とは認識されない。つまり、レイヤ間連携制御可否情報３０２は、電気パス１の始点装置以外の装置において、シグナリングメッセージ３０を改変することを許可するための情報としても、用いることができる。なお、レイヤ間連携制御可否情報３０２の形式は任意であり、図２に示した制御連携フラグ３２（Ｘ）は、その一例である。【００２９】
制御項目情報３０３は、シグナリングメッセージ３０によって、制御内容を特定するための情報である。なお、制御項目としては、警報マスク制御、性能監視リセット制御、警報重要度設定、パスプライオリティ設定などが考えられるが、これらに限定されるわけではない。【００３０】
制御可否情報３０４は、シグナリングメッセージ３０を受け取ったクロスコネクト装置が、制御項目情報３０３で特定される制御を行ってよいかどうかを判断するための情報である。そのため、制御可否情報３０４は、制御項目情報３０３と対になって記録されることがある。従って、制御可否情報３０４を有するシグナリングメッセージ３０においては、シグナリングメッセージ３０に記載された制御項目情報３０３のうち、制御可否情報３０４が制御可能となっているものの制御のみが実行される。例えば、あるシグナリングメッセージ３０に、制御項目として警報抑止を設定し、制御可否情報３０４を「可」と設定した場合には、そのシグナリングメッセージ３０によって、クロスコネクト装置の警報抑止制御が行われる。【００３１】
また、シグナリングメッセージ３０には、一つ以上の制御項目情報３０３および／または制御可否情報３０４を含めることができる。かかる場合においては、一つのシグナリングメッセージ３０によって、制御可否情報３０４が「可」として含まれている制御項目情報３０３の数だけの制御を行うことが可能である。例えば、一つのシグナリングメッセージ３０に、
警報抑止制御          ：制御可
性能監視リセット制御  ：制御可
警報重要度制御        ：制御不可
パスプライオリティ制御：制御不可
と設定されていれば、そのシグナリングメッセージ３０によって、警報の抑止の実行と性能監視リセット（性能情報のクリアなど）が可能であるが、警報重要度の設定、パスプライオリティの制御を行うことはできない。【００３２】
なお、制御項目情報３０３と制御可否情報３０４とは、必ずしも別々に分けて設定されるとは限らない。例えば、図２に示した警報抑止ビット３１を「Ａ＝１」とした状態は、「警報抑止」という制御項目を「制御可能」に設定したものに相当する。【００３３】
＜装置の概要＞
図５は、本発明の実施形態において用いられるクロスコネクト装置１０の構成を表した図である。クロスコネクト装置１０は、スイッチ部１１、インターフェイス部１２、回線１３および装置内監視制御部２０を備える。また、装置内監視制御部２０は、装置管理部２１、シグナリング制御部２２、ルーチング制御部２３、警報管理部２４、性能管理部２５、パス管理部２６を備える。ただし、実施形態に応じて、装置内監視制御部２０に性能管理部２５が含まれないなどの改変がされる場合がある。なお、シグナリング制御部２２、警報管理部２４、性能管理部２５、パス管理部２６をまとめて、「制御項目制御部」と呼ぶこともある。【００３４】
ここで、クロスコネクト装置１０には、ＳＤＨクロスコネクト装置（１０１ａ等）、ＳＤＨ／ＷＤＭクロスコネクト装置（１０２ａ等）、ＷＤＭクロスコネクト装置（１０２ｂ）が含まれる。クロスコネクト装置の種類によって、スイッチ部１１、インターフェイス部１２や回線１３の構成が異なるが、装置内監視制御部２０の構造は基本的に同一にすることができる。【００３５】
スイッチ部１１は、パスの設定に用いられ、スイッチ部１１の設定を変更することにより、エンドーエンドのパス設定を行う。インターフェイス部１２は、スイッチ部１１側と、他のクロスコネクト装置との間を結んでいる。【００３６】
装置管理部２１は、クロスコネクト装置１０において、クロスコネクト装置自体の制御全般を行う。
シグナリング制御部２２は、装置が受信もしくは送信するシグナリングメッセージの制御を行う。例えば、シグナリングメッセージ３０の内容を必要に応じて変更する場合にはシグナリング制御部２２が変更を行う。また、電気パス１の始点装置において、シグナリングメッセージの設定を確認することで、シグナリングメッセージの改変が電気パス１中の任意の装置で行うことができるかを確認する場合には、シグナリング制御部２２は、シグナリングメッセージ改変許可確認部を備える。【００３７】
装置内監視制御部２０は、ルーチング機能の制御を行うルーチング制御部２３も備える。
警報管理部２４は、伝送路障害などを監視しており、警報の発出および抑止の制御、警報重要度の設定・変更を行う。本明細書において、警報管理部２４は、警報の抑止を行う警報抑止制御部と、警報の重要度の設定・変更を行う警報重要度制御部とを備える。【００３８】
性能管理部２５は、性能情報の記録、変更、更新、クリアなど、性能情報に対する制御を行う。
パス管理部２６は、図６に示すようなパスデータベースを備え、パスの状態を制御する。パスデータベースには、パスの状態を示すデータとして、光パス２の制御に伴って、制御を行うべき電気パス１であるかも記録される。例えば、ある電気パス１において、シグナリングメッセージ３０の制御連携フラグ３２が「Ｘ＝１」に設定されると、その電気パス１が「制御対象下位パス」に該当することが、パスデータベース中に記録される。「制御対象下位パス」に該当することを記録する方法は任意であるが、例えば、図６では「レイヤ間連携制御可否」の項目を「可」とすることにより記録している。「制御対象下位パス」についての情報を用いて、パス管理部２６は、どの電気パス１を光パス２の制御の際に制御するのかを認識する。さらに、電気パス１の始点装置において、パスデータベースを確認することで、シグナリングメッセージの改変が電気パス１中の任意の装置で行うことができるかを確認する場合には、パス管理部２６は、シグナリングメッセージ改変許可確認部を備える。シグナリングメッセージ改変許可確認部は、前述のとおり、制御対象下位パスについてはシグナリングメッセージの改変が任意の装置で許可されていると判断する。また、例えば、シグナリングメッセージ３０の内容が警報抑止である場合に、警報管理部２４に対して警報抑止を要求するなど、パス管理部２６は、各制御部分に対しての動作の振り分けを行う。【００３９】
＜制御要求に応じて光パスと電気パスの制御を行う場合についての実施形態＞
以下、制御要求がなされた制御項目について、光パス２についても制御を行う場合の実施形態について説明する。図７は、ＮＭＳからの制御要求が、上位パス（光パス２）を構成しているクロスコネクト装置に対してなされた場合の、レイヤ間でのパス収容関係を利用した制御の一形態を説明するフローチャートである。例えば、図２の例においては、ＷＤＭクロスコネクト装置１０２ａが、図７に示す動作を行う。【００４０】
まず、制御要求がクロスコネクト装置に送られると、その装置のパス管理部２６が制御要求を受信し、制御項目が何であるかを認識する（ステップＳ１〜２）。制御要求がなされた制御項目については、光パス２についても制御を行う必要がある。そこで、例えば警報マスク処理が要求されると、パス管理部２６は、光パス２に対しての警報マスク処理を警報管理部２４に依頼し、警報管理部２４が警報マスク処理を行う（ステップＳ３）。【００４１】
次に、光パス２に収容されている電気パス１のうち、光パス２の制御を行ったことに伴って、制御を行う必要がある電気パス１を、パス管理部２６が抽出する（ステップＳ４）。光パス２に収容されている電気パス１の抽出は、パスデータベースを用いて行われる。図６のパスＩＤは、電気パス１に対して与えられる識別子である。また、サーバパスＩＤは、上位パスである光パス２に与えられる識別子である。パス管理部２６は、光パス２に対しての制御要求を受けると、制御要求を受けた光パス２の識別子をサーバパスＩＤの欄で確認し、該当する識別子がサーバパスに記録されている電気パス１を、収容された下位パスとして認定する。例えば、「１０００１」という識別子を有する光パス２には、パスＩＤが「１」である電気パス１が収容されていると認識する。【００４２】
さらに、パス管理部２６は、光パス２の下位パスとして認定した電気パス１が、光パス２の制御に伴って制御すべき電気パスであるかを調べる。前述のとおり、図６に示した、パスデータベースの情報を参照して、制御すべきかを決定する。本明細書および図面中では、抽出された電気パス１のことを「制御対象下位パス」、「制御対象電気パス」もしくは「該当パス」と記載することがある。【００４３】
パス管理部２６は、電気パス１を抽出した後、その電気パス１に対しての警報マスク処理を、警報管理部２４に依頼し、警報管理部２４が警報マスク処理を行う（ステップＳ５）。【００４４】
ステップＳ２において、性能監視リセットが要求されていることを認識した場合も同様である。まず、パス管理部２６が、性能管理部２５に光パス２の性能情報リセットを要求し、性能管理部２５が性能情報をリセットする（ステップＳ６）。次にパス管理部２６がステップＳ４と同様に制御対象下位パスを抽出する（ステップＳ７）。抽出した制御対象下位パスに対しての性能情報リセットの要求をパス管理部２６から受けた性能管理部２５が、性能情報をリセットする（ステップＳ８）。【００４５】
その他の制御が要求された場合にも、光パス２に対しての制御が行われ、パス管理部２６が制御対象下位パスを抽出した後（ステップＳ９、１０）、パス管理部２６が所定の部分に制御を依頼し、依頼された部分が制御を実施する（ステップＳ１１）。【００４６】
｛警報マスク処理の実施形態｝
警報マスク処理について、以下、詳細に説明する。前述のとおり、上位パスである光パス２の制御を受けた装置は、シグナリングメッセージ３０の設定を行う。図８は警報マスク処理を行う場合のシグナリングメッセージ３０の設定を行う装置の動作を表したフローチャートである。また、図９は警報マスク処理を行う場合に、警報抑止のシグナリングメッセージ３０を受信した装置の動作を表したフローチャートである。【００４７】
図２の１０２ａのように光パス２の制御を受けたクロスコネクト装置は、制御すべき電気パス１を抽出する。この抽出方法は、既に述べたとおりである。抽出した電気パス１に対しての制御を行うために、パス管理部２６は、警報管理部２４に対して警報マスク制御を行うように要求する（ステップＳ２１）。警報管理部２４は、パス管理部２６によって要求されたパスに対して、警報マスク制御を行う（ステップＳ２２）。パス管理部２６は、抽出した電気パス１に対しての警報マスクを行うことを、他のクロスコネクト装置に伝えるためのシグナリングメッセージ３０の変更をシグナリング制御部２２に対して要求する（ステップＳ２３）。シグナリング制御部２２は、パス管理部２６からの要求に応じて、シグナリングメッセージ３０に警報マスク情報を設定する（ステップＳ２４）。【００４８】
警報マスク情報が設定されたシグナリングメッセージ３０を受信したクロスコネクト装置では、シグナリング制御部２２が警報マスク情報を受信する（ステップＳ３１）。シグナリング制御部２２は、パス管理部２６に対して、警報マスク情報を受信したパスの警報マスク制御を行うように要求する（ステップＳ３２）。要求を受けたパス管理部２６は、警報管理部２４に対して、警報マスク制御を行うように要求し、警報管理部２４が要求を受けたパスに対する警報マスク制御を行う（ステップＳ３３、３４）。【００４９】
以上で述べたように、オペレータが、光パス２に対して警報マスク制御を１回行うだけで、光パス２に収容されていて、光パス２の警報マスク制御の際に、警報マスク制御を行う必要がある電気パス１に対して、自律的に警報マスク制御がなされる。そのため、ファイバの敷設、パッケージの差し替えなどの際に警報マスク処理が必要となったときのオペレータの負担が軽減し、オペレーションミスによる不必要な警報の発出も防ぐことができる。【００５０】
｛性能監視リセット制御処理の実施形態｝
図１０は、性能監視リセット制御を行う場合の実施形態を示す図である。性能監視リセット制御処理は、上位パスである光パス２に障害が起こって、電気パス１の性能情報をクリアする必要が生じたときに行われる。図１１は、性能監視リセット制御処理を行う場合にシグナリングメッセージ３０の設定を行う装置の動作であり、図１０の説明の手順（３）において実行される動作である。図１２は、性能監視リセット情報が設定されたシグナリングメッセージ３０を受信した装置の動作で、図１０の説明の手順（５）において実行される動作である。【００５１】
以下、図１０に表された処理を、図１１、図１２も参照しながら説明する。なお、図１０で表される処理の手順（１）は、図２を参照しながら説明した手順（１）と同じである。【００５２】
（２）オペレータ３が、ＮＭＳを通じて光パス２の始点装置１０２ａに対して光パス性能リセット要求をすると（３ａ）、始点装置１０２ａは、光パス２の性能情報をクリアする。また、始点装置１０２ａは、性能監視リセット情報３３を加えた光パス用シグナリングメッセージ４０を終点側の装置１０２ｂに送信し、これにより光パス２を構成している各装置において、光パス２についての性能情報がクリアされる。【００５３】
（３）光パス２の始点装置１０２ａは、既に述べたように、光パス２の制御の際に制御すべき電気パス１を抽出する。パス管理部２６は、抽出した電気パス１に対しての性能情報のクリアを性能管理部２５に要求する（図１１のステップＳ４１）。性能管理部２５は、要求されたパスの性能情報をクリアする（ステップＳ４２）。パス管理部２６からの要求に従って、シグナリング制御部２２がシグナリングメッセージ３０に性能監視リセット情報３３を設定して電気パス１の終点側に送信する（ステップＳ４３、４４）。なお、図１１のステップＳ４２は、図１０の４ｂの処理に該当する。【００５４】
（４）光パス２中では、電気パス用のシグナリングメッセージ３０は装置の設定に用いられず、光パス２の始点装置１０２ａから、光パス２の終点装置である１０２ｃへと、シグナリングメッセージ３０が通過する。【００５５】
（５）装置１０２ａからのシグナリングメッセージ３０を受信した光パス２の終点装置１０２ｃでは、シグナリング制御部２２が性能監視リセット情報３３を受信する（ステップＳ５１）。シグナリング制御部２２が、パス管理部２６に対して性能監視リセットを要求し、パス管理部２６が、性能管理部２５に対して性能監視リセット要求を伝える（ステップＳ５２、５３）。この要求を受けた性能管理部２５が、要求のあった電気パス１の性能情報をクリアする（ステップＳ５４）。また、シグナリングメッセージ３０を電気パス１の終点側の装置に送信する。【００５６】
以後の手順は、各装置で行われる処理が性能監視情報のクリアであること、シグナリングメッセージ３０の変更点が性能監視リセット情報３３であることを除いて、図２を参照しながら説明した手順（５）〜（８）と同じである。また、図１０中の５ｂで表される処理は、電気パス１の始点装置における、シグナリングメッセージ３０への性能監視リセット情報３３の設定である。【００５７】
パスの障害が起こった場合には、エラーの数が増減するだけでなく、エラー情報自体の信用度も低下する。従って、エラー情報が有効なエラー情報かどうかを、情報を受けたクロスコネクト装置自体が判断する必要が出てくるが、エンド端の装置がエラー情報の有効性を的確に判断できるとは限らない。そこで、光パス２に障害が生じたときに、電気パス１に対して、強制的にエラー情報自体のクリアをする必要が出てくる場合がある。かかる場合に、性能情報リセット処理を、本形態の処理によって行うと、簡便に性能情報のクリアができ、さらに、オペレーションミスの可能性を減少させることができる。なお、性能情報としては、例えば、ＳＥＳ（重大エラー秒数）、ＥＳＳ（エラー秒数−セクション）などがあるが、これらに限定されるわけではない。【００５８】
これまで述べてきたように、クロスコネクト装置１０は、光パス２に対しての制御要求を受けると制御対象の光パス２に収容されていて、光パス２の制御の際に制御を行う必要がある電気パス１を抽出する。この電気パス１の抽出は、パスデータベースの情報を利用して行われる。さらに、抽出した電気パス１に、クロスコネクト装置１０が、自律的に、光パス２に対して行ったのと同じ種類の制御を行う。従って、オペレータ３が、ＮＭＳで収容関係を検索することにより、光パス２の制御に伴って制御する電気パス１を検索する必要はなくなるし、個々の電気パス１の制御を個別に行う必要もない。【００５９】
＜警報をトリガとしたレイヤ間でのパス収容関係を利用した制御の実施形態＞
図１３は、警報をトリガとしたレイヤ間でのパス収容関係を利用した制御の実施形態の一例である。クロスコネクト装置１０１ａと１０１ｂとの間に、電気パス１が設定されていて、クロスコネクト装置１０２ａ、１０２ｂ、および、１０２ｃの間で光パス２が設定されている。また、電気パス１は光パス２に収容されている。ここで、装置１０２ａと１０２ｂの間において光パス２に障害６が発生したことをトリガとして警報抑止制御が行われる場合について詳しく説明する。【００６０】
（１）障害６が起こる前は、光パス２は正常な状態である。シグナリングメッセージ４０は、図１３に示されているとおり、警報抑止ビット３１を有していない。
（２）光パス２において、障害６が発生する。発生した障害をクロスコネクト装置１０２ａが検出する。【００６１】
（３）クロスコネクト装置１０２ａは、障害６が発生した光パス２に収容されている電気パス１のうち、制御連携フラグ３２が設定されている（Ｘ＝１）電気パス１を抽出し、抽出した電気パス１に対しての警報抑止制御を行う（図１３の４ｃ）。【００６２】
（４）クロスコネクト装置１０２ａは、抽出した電気パス１のシグナリングメッセージ３０に、警報抑止ビット３１（Ａ＝１）を付与する。警報抑止ビット３１を付したシグナリングメッセージ３０を、パスの終点側に送信する。【００６３】
（５）光パス２中では、電気パス用のシグナリングメッセージ３０は装置の設定に用いられず、光パス２の始点装置１０２ａから、光パス２の終点装置である１０２ｃへと、シグナリングメッセージ３０が通過する。【００６４】
（６）シグナリングメッセージ３０を受信した光パス２の終点装置１０２ｃは、シグナリングメッセージ３０を受信した電気パス１に対して、警報抑止の設定を行う。また、電気パス１の終点装置である１０１ｂに対してシグナリングメッセージ３０を送信する。【００６５】
（７）電気パス１の終点装置である１０１ｂがシグナリングメッセージ３０を受け取ると、クロスコネクト装置１０１ｂは、シグナリングメッセージ３０を受け取った電気パス１に対して、警報抑止の設定を行う。また、シグナリングメッセージ３０を、電気パス１の始点側に送信する。【００６６】
（８）電気パス１の終点側から受信したシグナリングメッセージ３０が、光パス２中を通過する。光パス２の始点装置である１０２ａが、シグナリングメッセージ３０を受信すると始点側に転送する。【００６７】
（９）電気パス１の始点装置である１０１ａは、１０１ａ自身が送信したことがあるシグナリングメッセージ３０ａとは異なって、警報抑止ビット３１が警報抑止に設定されているシグナリングメッセージ３０を、電気パス１の終点側から受信する。そこで、シグナリングメッセージの変化が、シグナリングの失敗による変化であるのか、光パス２において障害が検出されたことによって生じた変化であるのかを認識する。シグナリングメッセージの制御連携フラグ３２が、Ｘ＝１であれば、シグナリング制御部２２は、光パス２において障害が検出されたことによって生じた変化であると認識する。また、パスデータベースの「レイヤ間連携制御可否」が「可」に設定されている場合に、パス管理部２６が、光パス２において障害が検出されたことによる変化であると認識する構成にしても良い。【００６８】
（１０）光パス２での障害の検出に起因してシグナリングメッセージ３０に変更された場合には、電気パス１の始点から光パス２の障害を検出した装置までの間に装置が存在すると、それらの装置において電気パス１の警報抑止設定がなされていないことになる。そこで、電気パス１の始点装置１０１ａは、シグナリングメッセージ３０の警報抑止ビット３１を警報抑止に設定し（図１３の５ｃ）、終点側の装置に向けて送信する。また、電気パス１の始点装置１０１ａは、電気パス１の警報抑止を設定する。【００６９】
光パス２に障害が発生したときには、なんらの処理も行わなければ、障害が発生した光パス２に収容されている電気パス１においても警報が検出されてしまい、あまりに多くのパスから警報が出されるために、光パス２の障害であるのかを見分けるのは困難である。従来では、電気パス１に発生してしまった不必要な警報をとめるには、個々の電気パス１に対しての障害の有無を確認して、障害がない電気パス１を個別に警報抑止制御するしかなかった。以上に述べた形態で行われる処理によって、光パス２の障害に起因した警報を発出させたくない電気パス１に対しての警報抑止制御を、光パス２の障害を検出した装置が自律的に行うことができる。これにより、不必要な警報を抑止するためのオペレータ３の負担が軽減される、オペレーションミスによる警報の発出が減るなどの効果がある。さらには、そもそも、電気パス１における不必要な警報が発生しないのであるから、発出される警報の数自体が激減し、光パス２において障害が起こっていることを、早急に、かつ簡単にオペレータ３が知ることができることになる。【００７０】
図１４は、クロスコネクト装置が、他の装置からの警報を受け取ったことをトリガとして行う処理のフローチャートである。まず、図１３の装置１０２ａの警報管理部２４が、光パス２の警報を検出し、パス管理部２６に通知を行う（ステップＳ６１）。通知を受けたパス管理部２６は、光パス２に収容されている電気パス１であって、光パス２の異常が検出されても警報を発出させない電気パス１を抽出する（ステップＳ６２）。抽出したパスについて、警報抑止制御を行う（ステップＳ６３）。なお、ステップＳ６３で行われる抽出した電気パス１への制御は、図１３を参照しながら説明した手順（４）および（６）〜（１０）と同じである。【００７１】
光パス２の障害を検出したこと、もしくは他の装置からの警報を受信したことによって、電気パス１のシグナリングメッセージ３０を設定する装置の具体的な動作は、図８を参照しながら説明したステップＳ２１〜２５と同じである。また、「該当パス」となる電気パス１を抽出するのは、前述のとおり、パス管理部２６である。【００７２】
障害の検出もしくは警報の受信によって、変更されたシグナリングメッセージ３０を受信した装置で行われる動作の詳細は、図９を参照しながら説明したとおりである。
なお、ここでは障害の検出もしくは警報の受信をきっかけとして、警報抑止が行われる場合について説明したが、他の制御についても同様に障害の検出などを契機として電気パス１の制御を行うことも可能である。【００７３】
このように、クロスコネクト装置１０は、光パス２の障害を検出したこと、もしくは他の装置からの警報を受信した際に、制御を行うべき電気パス１を抽出し、抽出した電気パス１に対して、自律的に制御を行う。したがって、光パス２についての障害の発生に伴って、オペレータ３が個々の電気パスに対しての制御を行う必要がない。【００７４】
＜通知メッセージを用いた実施形態＞
これまで述べてきた実施形態においては、電気パス１の始点装置から電気パス１の制御を行っていなかった。このため、シグナリングメッセージ３０をパスの終点装置側から受信した電気パス１の始点装置は、（ａ）始点装置自身が送信したシグナリングメッセージ３０ａと終点側の装置から受け取ったシグナリングメッセージ３０とを比較し、（ｂ）二つのシグナリングメッセージに変化があった場合には、その変化は光パス２の制御等によって生じた変化であれば、終点側から受け取ったシグナリングメッセージ３０と同じ設定を行ったシグナリングメッセージをパスの終点側に送信する必要があった。【００７５】
以下では、電気パス１の始点装置から制御を行うための実施形態について、詳しく説明する。
図１５は、通知メッセージを用いたレイヤ間でのパス収容関係を利用した制御についての実施形態の一例である。これまでの例と同様に、クロスコネクト装置１０１ａと１０１ｂとの間に、電気パス１が設定され、クロスコネクト装置１０２ａと１０２ｃの間で光パス２が設定され、電気パス１は光パス２に収容されている。予め、電気パス１に対して、必要に応じて、光パス２の制御の際に制御を行うための設定は、図２を参照しながら述べた手順（１）と同じである。【００７６】
（２）オペレータ３がＮＭＳを通じて、光パス２の始点装置１０２ａに対して光パス警報の抑止の設定を行う（図１５の３ａ）。光パス２の始点装置１０２ａは、ＮＭＳから操作された光パス２について、警報抑止を設定する。光パス２については、光パスのシグナリングメッセージ４０によって、光パス２を構成している各装置に対して、光パス２の警報抑止が設定される。【００７７】
（３）光パス２の制御要求を受けた装置１０２ａが、制御が行われた光パス２に収容されている電気パス１であって、しかも、制御連携フラグ３２の設定が行われている電気パス１を抽出する。さらに、抽出した電気パス１の始点装置（１０１ａ）に対して、通知メッセージ５０を送信する。【００７８】
（４）通知メッセージ５０を受信した電気パス１の始点装置（１０１ａ）は、その電気パス１を警報抑止に設定する。さらに、シグナリングメッセージ３０の警報抑止ビット３１を警報抑止に設定し（図１５の７）、電気パスの終点側に送信する。【００７９】
（５）電気パス１の始点装置１０１ａに隣接した装置１０２ａは、電気パス１に対するシグナリングメッセージ３０を受信すると、警報抑止の設定した上で終点側へと、シグナリングメッセージ３０を送信する。光パス２の終点装置１０２ｃも同様の動作を行う。【００８０】
（６）電気パス１の終点装置である１０１ｂが、シグナリングメッセージ３０を受け取ると、クロスコネクト装置１０１ｂは、シグナリングメッセージ３０を受け取った電気パス１に対して、警報抑止の設定を行う。また、シグナリングメッセージ３０を、電気パス１の始点側に送信する。【００８１】
（７）電気パス１の中間に存在する１０２ａ等の装置は、電気パス１の終点側から受信したシグナリングメッセージ３０を始点側に転送する。
（８）電気パス１の始点装置である１０１ａは、電気パス１の終点側から受信したシグナリングメッセージ３０と、１０１ａ自身が送信したシグナリングメッセージ３０とを比較する。両者が同一であれば、シグナリングメッセージ３０による電気パス１の制御が成功したと認識する。【００８２】
図１５の例では、オペレータ３がＮＭＳを通じて制御要求を行ったことを契機として、通知メッセージ５０を用いた電気パス１の制御を行っているが、警報や障害を装置が検出することをトリガとして同様の制御を行うこともできる。【００８３】
図１６は、通知メッセージ５０を用いた制御の概略を表したフローチャートである。クロスコネクト装置の警報管理部２４が警報を検出して、パス管理部２６が光パス２の障害に基づく警報であるか判断する（ステップＳ７１、７２)。光パス２に障害がある場合には、その光パス２に収容されている電気パス１のうち、光パス２の制御の際に制御すべきものをパス管理部２６が抽出する（ステップＳ７４)。シグナリング制御部２２は、パス管理部２６からの要求を受けて、抽出された電気パス１に通知メッセージ５０（Ｎｏｔｉｆｙ  メッセージ）を、電気パス１の始点装置に向けて送信する（ステップＳ７５)。なお、ＮＭＳからの制御要求（ステップＳ７３)に基づいて、電気パス１の制御を行う場合においても、パス管理部２６が制御すべき電気パス１の抽出を行い、シグナリング制御部２２が通知メッセージ５０の送信を行う。【００８４】
以上で説明したように、通知メッセージを使用することによって、光パス２への制御要求や光パス２の障害などによる状態変化をトリガとして、クロスコネクト装置が、自律的に電気パス１の始点装置から制御を行うことができる。【００８５】
＜光パスの状態変化を伴わない電気パスの制御方法＞
クロスコネクト装置がＮＭＳから受信する制御要求には、下位パスへの制御要求のみが含まれている場合が考えられる。例えば、下位パスにおける警報重要度を変更する際などには、クロスコネクト装置が受信した制御要求に、下位パスへの制御要求のみが含まれることが考えられる。かかる場合には、上位パスについては制御を行わずに、下位パスの状態を変化させるが、このときにレイヤ間での収容関係を利用することにより、一度の制御要求で複数の下位パスに対しての制御を行うことが可能になる。すなわち、上位パスを構成している装置に、制御しようとする下位パスと制御内容を記載した制御要求を行うことにより、その装置内で、上位パスに収容されている下位パスで制御対象となるものを抽出し、制御対象となる全ての下位パスの制御を行う。かかる実施形態によって、従来、個別に制御を行う必要があった複数の下位パスを、一度の処理によって制御できることになる。【００８６】
以下、光パス２の制御を行わずに電気パス１の制御のみを行う場合の実施形態について詳しく説明する。図１７のフローチャートに、光パス２の制御を行わずに電気パス１の制御を行う場合のパス制御の流れを示す。【００８７】
（１）ＮＭＳから制御要求を受けた装置において、パス管理部２６に制御要求が送られる（ステップＳ８１）。
（２）制御項目として光パス２の制御を伴わない制御が指定されていると、パス管理部２６が判断すると、制御が必要な電気パス１であって、光パス２に収容されているものを抽出する（ステップＳ８２〜８３）。ここで、制御が必要な電気パス１の抽出は、パス管理部２６によって行われる。先に、図６を参照しながら、パス管理部２６が制御対象下位パスを抽出する方法について述べたが、制御が必要な電気パス１の抽出も同様に行われる。レイヤ間連携制御可否情報３０２についての記載部分で述べたとおり、複数の電気パス１に対して、光パス２の収容関係を利用して同時に制御を行う場合には、制御対象となる電気パス１を抽出するためにレイヤ間連携制御可否情報３０２を用いる。レイヤ間連携制御可否情報３０２は、図６に示したように、「レイヤ間連携制御可否」としてパスデータベース中に含まれる。そこで、ＮＭＳからの制御要求に基づいて、パス管理部２６が、電気パス１に対する制御を行う際に、パスデータベースの「レイヤ間連携制御可否」を参照する。制御連携フラグ３２がＸ＝１に設定されているなどの理由により「レイヤ間連携制御可否」情報で「可」に指定されている電気パス１は、ＮＭＳからの要求に応じて制御を行う対象となる電気パス１として抽出される。【００８８】
（３）抽出した電気パス１に対して、制御の実行を行う（ステップＳ８４）。
光パス２と電気パス１との両者を制御する必要がある場合の制御については前述のとおりである（ステップＳ８５〜８７）。光パス２の制御を行わずに電気パス１の制御を行う際の実施形態の例として、電気パス１の警報重要度を変更する場合と、パスプライオリティを変更する場合について詳しく述べる。また、ここでは、光パス２を構成するクロスコネクト装置が制御要求を受信した場合に、要求を受信したクロスコネクト装置においてシグナリングメッセージ３０を変更する場合の例について述べる。【００８９】
｛警報重要度設定についての実施形態｝
図１８は、警報重要度制御処理を行う場合のシグナリングメッセージ３０の設定を行う装置の動作であり、シグナリングメッセージ３０の設定を行う装置がステップＳ８４において行う動作を詳細に表したものである。パス管理部２６は、警報管理部２４に対し、警報重要度の設定を要求し、警報管理部２４は要求に応じて、警報の重要度や警報種別を変更する（ステップＳ９１〜９３）。シグナリング制御部２２が、パスの警報重要度情報をシグナリングメッセージに設定して送信する（ステップＳ９４)。【００９０】
図１９は、警報重要度設定をしたシグナリングメッセージ３０の一例である。シグナリングメッセージ３０の中の、制御項目情報３０３に警報重要度設定「ＳＥＴ＿ＡＳＡ」が設定される。また、設定する警報の種類と、その警報をどの重要度にするかの設定情報も、制御項目情報３０３に含まれる。【００９１】
図２０は、警報重要度情報が設定されたシグナリングメッセージ３０を受信した装置の動作を表す図である。シグナリング制御部２２が、シグナリングメッセージ３０に含まれる警報重要度情報を受信すると、パス管理部２６に警報重要度設定要求を行う（ステップＳ１０１、１０２)。パス管理部２６からの要求に応じて、警報管理部２４が警報重要度の設定を行う（ステップＳ１０３、１０４）。【００９２】
警報重要度設定の方法について説明する。図２１にパス警報データベースの一例を示す。パス警報データベースパス管理部２６の中のデータベースのうちの、警報重要度設定に関係のある部分を備えるデータベースが、パス警報データベースである。図２１の「警報種別」は警報を発生させる障害を記録したデータで、「重要度」は障害が発生した場合に発出する警報の重要度のデータである。例えば、図２１の例では、パスＩＤが「１」である電気パス１には、「Ｐ−ＡＩＳ（Path-Alarm Indication Signal）」と「ＬＯＳ（信号消失）」の二種類の警報が設定されている。また、同一のパスに複数の種類の警報を設定でき、同一パスに関する複数の警報の重要度は同じであっても異なっていても良い。図２１に示したパスＩＤが「１」のパスの例では、「Ｐ−ＡＩＳ」の重要度は「ＷＡＲＮＩＮＧ」、「ＬＯＳ」の重要度は「ＣＲＩＴＩＣＡＬ」に設定されている。ステップＳ８４において、警報管理部２４は、シグナリングメッセージ３０の制御項目情報３０３に含まれていた情報に、パス警報データベース中の警報種別と重要度とを変更する。例えば、図１９に示す警報重要度情報を有するシグナリングメッセージ３０が、パスＩＤ「１０」の電気パス１について、あるクロスコネクト装置に受信されたとする。この場合、その装置の警報管理部２４は、パスＩＤ「１０」の電気パス１の「Ｐ−ＡＩＳ」について設定されている「ＭＩＮＯＲ」を「ＷＡＲＮＩＮＧ」に書き換える。【００９３】
なお、警報管理部２４がパス警報データベースを有していても良いし、パスデータベースとしてパス管理部２６が制御し、警報管理部２４がパス管理部２６にアクセスして警報重要度に係る情報を取得しても良い。【００９４】
警報重要度設定は、支障移転などの際に、完全に警報をマスクせずに低レベルでモニタリングを行う場合に用いられる。かかる場合においても、光パス２に収容されている全ての電気パス１について個々に制御を行うのでは、煩雑で時間がかかる上に、オペレーションミスが発生する恐れがある。本実施形態によって、かかる問題が解決される。【００９５】
{パスプライオリティ設定についての実施形態}
パスプライオリティ設定は、シグナリング制御部２２とパス管理部２６とによって行われる。【００９６】
まず、光パス２を構成するクロスコネクト装置に対して、オペレータ３から、収容されている下位パスのプライオリティ設定の要求がなされる。要求を受けたクロスコネクト装置のパス管理部２６は、パスプライオリティ設定をするべき電気パス１を抽出する。この抽出方法は前述のとおりである。次に、設定が要求された電気パス１に対してのプライオリティレベルを設定する。このプライオリティレベルの設定は、図６に示した、パスデータベース中のプライオリティの値を変更することによって行われる。【００９７】
次に、ＮＭＳからの要求を受け取った装置のシグナリング制御部２２は、制御項目情報３０３にパスプライオリティ設定と設定するプライオリティレベルとを記録した、図２２に示すような構造を有するシグナリングメッセージ３０を生成する。生成されたシグナリングメッセージ３０は、既に述べたように、電気パス１の終点側へと送信され、図２を参照しながら説明した手順（３）〜（８）と同様の処理が行われる。【００９８】
パスプライオリティ設定は、あるパスを優先的に用いて専用線にする場合、予備の回線の優先度を下げる場合に行われる。本実施形態を用いると、光パス２を構成している一つのクロスコネクト装置に対して要求を与えるだけで、複数の電気パス１に対して、プライオリティ設定ができるという効果がある。【００９９】
{電気パスに対してその他の制御を行う場合の実施形態}
警報重要度設定、および、パスプライオリティ設定は、電気パス１のみに対して制御を行う制御項目である。しかし、その他の制御項目についても、光パス２の制御を行わずに、電気パス１のみを制御することも可能である。【０１００】
例えば、光パス２を構成する装置へ行った制御要求に応じて、光パス２と電気パス１の両方を制御する場合の警報マスク処理は「警報マスク処理Ａ」、光パス２の制御を行わずに電気パス１の制御を行う場合の警報マスク処理は「警報マスク処理Ｂ」のように異なる設定とすることができる。この場合、ステップＳ８２（図１７）に示したように、パス管理部２６は、制御項目情報３０３に指定された制御の種類によって、制御対象が光パス２と電気パス１の両者であるか、電気パス１のみであるかを判定する。判定結果に従って、電気パス１のみへの処理であればステップＳ８３、８４が行われ、光パス２と電気パス１の両方への制御を行う場合には、ステップＳ８５〜８７の処理が行われる。【０１０１】
このように、警報マスク処理などの、光パス２に対しても制御を行う可能性のある処理の場合には、シグナリングメッセージ３０に設定する制御項目情報３０３の指定を、光パス２の制御の有無に応じて変更することによって電気パス１のみの処理が実現できる。【０１０２】
以上では、電気パス１への制御要求がされることをトリガとして電気パス１の設定が行われる例について述べたが、光パス２の障害を契機として電気パス１の設定を行うことも可能である。また、電気パス１の制御を行うためのシグナリングメッセージ３０の変更は、電気パス１への制御要求を受けた装置、もしくは、光パス２の障害を検出した装置において行っても良いし、通知メッセージ５０を利用して電気パス１の始点装置で行っても良い。【０１０３】
なお、本発明は上記の実施形態に限られるものではなく、様々に変形可能である。以下にその例をいくつか述べる。
＜シグナリングメッセージにレイヤ間連携制御可否情報がない場合の実施形態＞
これまで述べてきた実施形態においては、シグナリングメッセージ３０にレイヤ間連携制御可否情報３０２が含まれていたが、レイヤ間連携制御可否情報３０２は必ずしも必要ではない。光パス２に収容される全ての電気パス１のシグナリングメッセージ３０にレイヤ間連携制御可否情報３０２が含まれない場合には、光パス２に収容される全ての電気パス１の制御が行われる。【０１０４】
つまり、光パス２に対する制御などをきっかけとして、光パス２に収容される全ての電気パス１に対しての制御を行いたい場合には、シグナリングメッセージ３０にレイヤ間連携制御可否情報３０２を設定する必要がない。【０１０５】
また、同様に、光パス２に収容される全ての電気パス１のシグナリングメッセージ３０にレイヤ間連携制御可否情報３０２が含まれていない場合には、ＮＭＳから電気パス１への制御要求がされると、全ての電気パス１の制御が行われる。【０１０６】
＜装置の状態の変化をトリガとしたパス制御＞
電気パス１が収容されている光パス２を構成しているクロスコネクト装置が、所定の条件に該当することをトリガとして、下位パスの制御を行うことができる。ここで、クロスコネクト装置の所定の条件としては、
（ａ）クロスコネクト装置がＮＭＳ（ネットワークマネジメントシステム）などからの制御要求を受けたこと
（ｂ）クロスコネクト装置が伝送経路などのネットワーク内の異常を検出したこと
（ｃ）他のクロスコネクト装置などから光パス２の状態に関する警報を受信したこと
などが、考えられるが、それらに限定されるわけではない。また、クロスコネクト装置がＮＭＳから受信する制御要求には、上位パスへの制御要求および／または下位パスへの制御要求が含まれていることが考えられる。つまり、変化を感知した装置が自律的に異なるレイヤのパスの制御を行う。
【図１】
2009060501.tif 000003
【図２】
2009060501.tif 000004
【図３】
2009060501.tif 000005
【図４】
2009060501.tif 000006
【図５】
2009060501.tif 000007
【図６】
2009060501.tif 000008
【図７】
2009060501.tif 000009
【図８】
2009060501.tif 000010
【図９】
2009060501.tif 000011
【図１０】
2009060501.tif 000012
【図１１】
2009060501.tif 000013
【図１２】
2009060501.tif 000014
【図１３】
2009060501.tif 000015
【図１４】
2009060501.tif 000016
【図１５】
2009060501.tif 000017
【図１６】
2009060501.tif 000018
【図１７】
2009060501.tif 000019
【図１８】
2009060501.tif 000020
【図１９】
2009060501.tif 000021
【図２０】
2009060501.tif 000022
【図２１】
2009060501.tif 000023
【図２２】
2009060501.tif 000024
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
下位パスを収容している上位パスが存在するネットワークを構成する通信装置であって、
前記上位パスもしくは前記上位パスを設定するシグナリングメッセージの状態変化に伴って、制御の可否を示す可否情報を確認することにより、前記上位パスに収容され、かつ、可を示す可否情報を含むシグナリングメッセージにより設定される下位パスを、前記上位パスもしくは前記上位パスのシグナリングメッセージが状態変化する際の制御対象となる制御対象下位パスとして特定するパス制御部と、
前記パス制御部によって特定された前記制御対象下位パスで用いられるシグナリングメッセージに対し、前記状態変化に対応する制御項目についてパス制御情報の設定を行うシグナリング制御部と、
前記制御項目の制御を行う制御項目制御部と
を備えることを特徴とする、通信装置。
【請求項２】
下位パスを収容している上位パスが存在するネットワークを構成する通信装置であって、
前記下位パスを設定するシグナリングメッセージ中に存在する、前記上位パスもしくは前記上位パスを設定するシグナリングメッセージの状態変化に伴って制御を行うことの可否を示す可否情報を確認することにより、前記上位パスに収容されていて、かつ、可を示す可否情報を含むシグナリングメッセージにより設定される下位パスを、前記上位パスもしくは前記上位パスのシグナリングメッセージが状態変化する際の制御対象となる制御対象下位パスとして特定するパス制御部と、
前記制御対象下位パスの終点側の装置に送信した第一のシグナリングメッセージに含まれるパス制御情報と、前記終点側の装置から受信した第二のシグナリングメッセージに含まれるパス制御情報とが、異なっていた場合に、前記第一のシグナリングメッセージおよび／または前記第二のシグナリングメッセージに、前記制御対象下位パスを構成する任意の装置においてシグナリングメッセージ改変を許可するシグナリングメッセージ改変許可設定がなされているかを確認するシグナリングメッセージ改変許可確認部と、
前記シグナリングメッセージ改変許可確認部により、前記シグナリングメッセージ改変許可設定が確認されたときに、前記第二のシグナリングメッセージに記録されている制御情報を付した第三のシグナリングメッセージを送信するシグナリング制御部と
を備えることを特徴とする、通信装置。
【請求項３】
前記上位パスに前記状態変化が生じることをトリガとして、前記シグナリング制御部が、前記制御対象下位パスで用いられるシグナリングメッセージに対して、前記パス制御情報の設定を行う
ことを特徴とする、請求項１記載の通信装置。
【請求項４】
前記上位パスの前記状態変化が、
前記上位パスを構成している装置が受けた制御要求に起因して行われた前記上位パスに対する制御による状態変化、もしくは、前記ネットワークで生じた障害に基づいて生じた状態変化であることを特徴とする、
請求項１記載の通信装置。
【請求項５】
前記下位パスの各々について、前記上位パスと前記下位パスの収容関係、および、前記上位パスの前記状態変化の際に制御を行うべき下位パスであるかの情報を記録しているデータベースを参照することによって、前記パス制御部が前記制御対象下位パスを特定する
ことを特徴とする、請求項１記載の通信装置。
【請求項６】
下位パスを収容している上位パスが存在するネットワークを構成する通信装置であって、
前記下位パスを設定するシグナリングメッセージ中に存在する、一つの下位パスに対する制御要求を受信した前記通信装置が前記一つの下位パスの制御に伴って制御を行うことの可否を示す可否情報を確認することにより、前記上位パスに収容されていて、かつ、可を示す可否情報を含むシグナリングメッセージにより設定される下位パスを、前記一つの下位パスと同一の種類の制御を行う対象である制御対象下位パスとして特定するパス制御部と、
前記パス制御部によって特定された前記制御対象下位パスで用いられるシグナリングメッセージに対し、前記制御対象下位パスに対して行われる制御項目について、パス制御情報の設定を行うシグナリング制御部と、
前記制御項目の制御を行う制御項目制御部と
を備えることを特徴とする、通信装置。
【請求項７】
前記シグナリング制御部が、前記制御対象下位パスの始点装置に、シグナリングメッセージの変更を行うための通知メッセージを送信し、
前記通知メッセージに従って前記始点装置により更新されたシグナリングメッセージを受信すると、前記制御項目制御部が、前記制御対象下位パスの制御を行う
ことを特徴とする、請求項１記載の通信装置。
【請求項８】
下位パスを収容している上位パスが存在するネットワークにおいて、
前記上位パスを構成する通信装置が、前記下位パスを設定するシグナリングメッセージ中に存在する、前記上位パスもしくは前記上位パスを設定するシグナリングメッセージの状態変化に伴って制御を行うことの可否を示す可否情報を確認することにより、前記上位パスに収容されていて、かつ、可を示す可否情報を含むシグナリングメッセージにより設定される下位パスを、前記上位パスもしくは前記上位パスのシグナリングメッセージが状態変化する際の制御対象となる制御対象下位パスとして特定し、
特定された前記制御対象下位パスで用いられるシグナリングメッセージに対し、前記状態変化に対応する制御項目についてパス制御情報を設定し、
前記制御項目の制御を行う
ことを特徴とする、パス制御方法。
【国際調査報告】
2009060501.tif 000025
2009060501.tif 000026
2009060501.tif 000027
2009060501.tif 000028